(57)【特許請求の範囲】
【請求項１】
読者に対して或る印象を訴えるための素材を付加して文書を作成する作業を支援する文書作成支援装置であって、
作成支援対象文書の内容、属性、及び、当該文書に意図された印象を表現する評価用語を含む文書情報を記憶する文書情報記憶手段と、
前記文書に付加すべき素材の内容、属性、及び、当該素材が与える印象を表現する評価用語を含む素材情報を記憶する素材情報記憶手段と、
素材の評価用語と素材のデザインとの間の関係を規定するルールである素材デザイン知識情報を格納した知識データベースと、
前記素材デザイン知識情報に基づいて、前記作成支援対象文書の評価用語に対して該当する素材の評価用語に関係付けられた素材の内容及び属性を、当該文書の作成に用いる素材のデザインとして決定する素材デザイン決定手段と、
文書の評価用語と文書の属性との関係を規定するルールである文書デザイン知識情報を格納した第二の知識データベースと、
前記文書デザイン知識情報に基づいて、前記作成支援対象文書の評価用語に対して該当する文書の評価用語に関係付けられた文書の属性を、当該文書の作成に用いる文書のデザインとして決定する文書デザイン決定手段と、
を備えたことを特徴とする文書作成支援装置。
【請求項２】
請求項１に記載の文書作成支援装置において、
前記素材は、写真、イラスト、音響情報の少なくとも１つであり、
前記素材デザイン決定手段は、写真についてはその版形式を決定することを特徴とする文書作成支援装置。
【発明の詳細な説明】
【０００１】
【発明の属する技術分野】
本発明は、文書を入力編集して作成する文書作成支援装置に関し、特に、文字部分だけではなく、写真やイラストなどと言った読者に対して或る印象を訴えるための素材を含んだ文書の作成をデザイン知識を用いて支援する文書作成支援装置に関する。
【０００２】
【従来の技術】
コンピュータの性能向上や低価格化等に伴い、文書作成アプリケーションをインストールしたコンピュータによる文書作成は幅広く普及した。
アマチュアレベルの一般ユーザでも、できるだけ品質の良い文書を作成したいと願ってはいるが、デザイナが作成するようなデザイン品質の高い文書を作成することは非常に難しい。
【０００３】
一般ユーザの願望を少しでもかなえるための方法として、デザイン品質の高い既存の文書を再利用したり、デザイン例として参考にしたりする方法がある。
例えば、特開平１−３０４５７５号公報には、文書を用途別などに分類蓄積しておき、これらの中から作成したい文書に似た性質を持つ文書を選び出して再利用できるようにした装置が開示されている。
また、別の技術として文書書式を適用する方法がある。この方法は、複数用意されている文書書式の中から一つを選び、この文書書式のパラメータを適用することにより文書を作成することで、作成者の意図や用途に対して比較的質の良い出力が得られるようにする方法である。
【０００４】
しかしながら、過去の文書を再利用する方法では、選択対象とする文書例が多ければ多いほど、どの文書例を選べばよいか作成者は判断に迷い、使い勝手がきわめて悪くなる。また、選択対象とする文書例が少ないと、作成者の意図や用途にあったものが見つかる可能性が低くなるため、文書例の選択後に変更や手直しをする必要が増すことになる。さらには、選択された文書例のどの部分が作成者の意図や用途を反映する部分か否かを理解できるまでの知見がないと、文書例のどの部分を再利用すればよいか判断できないため、一般の作成者にとっては、例えばビジネスレターなどの定形的な文書の作成以外にあまり役に立つ方法ではなかった。
【０００５】
また、文書書式を利用する方法では、あくまで書式の適用であり、作成中の文書固有の情報を利用しないため、一定レベル以上の仕上がりは期待できないものであった。また、この方法では、必ずしも作成者の意図や用途にあった書式が用意されているとは限らないため、いったん文書を作成した後に変更や手直しをする必要が生じることがあった。さらには、過去の文書を再利用する方法と同様に、仕上がり文書のどの部分が作成者の意図や用途を反映する部分か否かを理解できるまでの知見がないと、作成文書固有の条件によって発生した不具合や、書式の選択ミスなどによって発生した不具合までは直せないため、必ずしも希望通りの文書が得られるものではなかった。
【０００６】
これらの方法に対して、作成者が見栄えのよい文書にする知識を持たなくても、また、自分の意図や用途を反映させるための方法に対する知識を持たなくても、作成者の意図や用途にあった見栄えのよい文書スタイルに関するデザインを容易に得ることができる文書スタイル設計支援装置が、特開平５−１０８６４１号公報で提案されている。この装置は、文書の評価用語や文書スタイルデザイン要素などから文書スタイルデザイン知識情報を用いて推論処理を行い、最適な文書スタイルデザインを決定するものである。
また、同様の目的で、作成中の文書の意図や用途にあった文書に仕上げることができる文書作成支援装置が、特開平５−１０１０５２号公報で提案されている。この装置は、作成支援対象文書の内容や属性などの文書情報に基づき、文書の評価用語、文書デザイン要素、文書の属性ならびにこれらの相互関係を規定する文書デザイン知識情報を用いて推論処理を行い、最適な文書デザインを決定するものである。
【０００７】
【発明が解決しようとする課題】
上記の特開平５−１０８６４１号公報や特開平５−１０１０５２号公報に記載された方法は、確かに、今までの過去の文書を再利用する方法や文書書式を利用する方法に比べ、作成者は自分の意図や用途にあった見栄えのよい文書を容易に作成することができる。
しかしながら、そこで対象にしている文書は、素材として文字や表など、その素材の内容自体が心理的意味を持ったり読者に心理的な影響を与える色とか形を持たないものから構成される文書であり、用いるデザイン知識もそのような文書を対象にしたエディトリアルデザイン知識であった。つまり、文書全体の表す意図や用途、そしてデザインに大きな影響を与えるような、特有の意味、色、形を持った素材、例えば写真やイラストを含んだ文書に対しては、特開平５−１０８６４１号公報や特開平５−１０１０５２号公報に記された方法では、作成者は自分の意図や用途にあった見栄えのよい文書を容易に作成することができないという問題があった。
【０００８】
本発明は、このような問題を解決するためになされたもので、写真やイラスト、さらには、音響情報などと言った読者に対して或る印象を訴えるための素材を含んだ文書を作成する場合でも、作成者の意図や用途にあった見栄えのよい文書を容易に作成することができる文書作成支援装置を提供することを目的とする。
【０００９】
【課題を解決するための手段】
本発明に係る文書作成支援装置は、作成支援対象文書の内容や属性を含む文書情報を記憶する文書情報記憶手段と、文書内で用いられる素材の内容や属性を含む素材情報を記憶する素材情報記憶手段と、素材の評価用語と素材のデザイン要素との間の関係を規定する素材デザイン知識情報を格納した知識データベースと、前記文書情報記憶手段に記憶された文書情報と前記素材情報記憶手段に記憶された素材情報に基づいて、前記知識データベースに格納された素材デザイン知識情報を用いて推論処理を行って素材の採否と当該素材のデザイン処理とを決定する素材デザイン決定手段とを備えている。
【００１０】
また、本発明に係る文書作成支援装置は、上記に加え、文書の評価用語と、文書のデザイン要素と、文書の属性と、これらの相互の関係を規定する文書デザイン知識情報を格納した第二の知識データベースと、前記文書情報記憶手段に記憶された文書情報と前記素材情報記憶手段に記憶された素材情報に基づいて、前記第二の知識データベースに格納された文書デザイン知識情報を用いて推論処理を行って作成支援対象文書の最適な文書デザインを決定する文書デザイン決定手段と、を備えている。
【００１１】
なお、本発明に係る文書作成支援装置には、メッセージなどを表示する表示手段を設け、前記素材デザイン決定手段および前記文書デザイン決定手段により決定された内容を表示するようにしてもよい。
また、この文書作成支援装置には、素材デザイン決定手段で素材の採用が否定された場合に、採用可能な条件を受け取って該当する素材を提示する素材検索手段を設けてもよい。
【００１２】
また、この文書作成支援装置において、表示手段の代わりに、作成中の素材情報および文書情報を保持する素材情報記憶手段および文書情報記憶手段に記憶されている素材情報および文書情報を編集する素材編集手段および文書編集手段と、前記素材デザイン決定手段および文書デザイン決定手段が決定したデザイン処理を、前記素材編集手段および文書編集手段を用いて前記作成中の文書に施す素材デザイン実行手段および文書デザイン実行手段と、を備えた構成としてもよい。
【００１３】
また、この文書作成支援装置において、メッセージなどを表示する表示手段と、コマンドなどを入力する入力手段と、前記素材デザイン決定手段および文書デザイン決定手段が不足する情報を質問文などの形で前記表示手段に表示するとともにその回答を前記入力手段から受け取って前記素材情報記憶手段および文書情報記憶手段に追加する問合せ手段と、を備えた構成としてもよい。
【００１４】
また、前記素材編集手段および文書編集手段と、素材デザイン実行手段および文書デザイン実行手段とを備えた文書作成支援装置においては、メッセージなどを表示する表示手段と、コマンドなどを入力する入力手段と、前記素材デザイン決定手段および文書デザイン決定手段が不足する情報を質問文などの形で前記表示手段に表示するとともにその回答を前記入力手段から受け取って前記素材情報記憶手段および文書情報記憶手段に追加する問合せ手段と、を備えた構成としてもよい。
【００１５】
上記した構成の文書作成支援装置によれば、例えば、文書作成者からの指示や他の装置からの信号によって素材デザイン決定手段が起動すると、素材デザイン決定手段は作成中の文書の属性や内容を参照しつつ、素材知識データベースに蓄えられている素材デザイン知識情報を用いて、使用しようとしている素材の採否とそのデザイン処理を決定し、この結果を表示手段に表示する。なお、素材デザイン決定手段で使用しようとしている素材の採用が否定された場合には、採用可能な条件を素材検索手段に渡す。
【００１６】
そして、素材デザイン決定手段で採用決定した素材及びデザイン処理が素材デザイン実行手段に渡されると、素材デザイン実行手段は渡された情報に基づいて素材編集手段に編集指示を出す。素材編集手段は指示に従って素材情報記憶手段に保持されている素材情報を編集する。
また、素材デザイン決定手段はデザイン処理の決定に際して不足するデータがあると、その情報を問合せ手段に伝える。問合せ手段は、素材デザイン決定手段からの情報に基づいて不足するデータについての問合せを表示手段に質問文などで表示し、文書作成者からの回答を入力手段から受け取って、これを素材情報記憶手段にデータとして追加する。
【００１７】
この後に、文書デザイン決定手段が機動し、作成中の文書の属性や内容と、前記素材デザイン決定手段で採用決定されてさらにデザイン処理を実行されて使用することになった素材の属性や内容とを参照しつつ、第二の知識データベースに蓄えられている文書デザイン知識情報を用いて、文書デザインを決定し、この結果を表示手段に表示する。
そして、文書デザイン決定手段で決定した文書デザインが文書デザイン実行手段に渡されると、文書デザイン実行手段は渡された情報に基づいて文書編集手段に編集指示を出す。文書編集手段は指示に従って文書情報記憶手段に保持されている文書情報を編集する。
【００１８】
なお、文書デザイン決定手段は、デザインの決定に際して不足するデータがあると、その情報を問合せ手段に伝える。問合せ手段は、文書デザイン決定手段からの情報に基づいて不足するデータについての問合せを表示手段に質問文などで表示し、文書作成者からの回答を入力手段から受け取って、これを文書情報記憶手段にデータとして追加する。
【００１９】
【発明の実施の形態】
本発明に係る文書作成支援装置を実施例を参照して説明する。
図１には、本発明の第１実施例に係る文書作成支援装置の構成を示してある。
この文書作成支援装置には、表示部１、文書情報記憶部２、素材情報記憶部３、素材知識データベース４、素材デザイン決定部５、文書知識データベース６、文書デザイン決定部７、が備えられている。
なお、これらの各機能部は、コンピュータのハードウエア及び所定のプログラムによって構成されている。
【００２０】
表示部１は、例えばディスプレイやプリンタなどから構成されており、文書作成者に対して種々な情報を提示する。
文書情報記憶部２は、ワードプロセッサなどにより作成されたコードデータや図形データ、それに文書の種類や作成日時、用途などの属性などと言った一般に電子化された文書とその付帯情報を表すデータとを文書情報として読み書き自在に格納するものであり、例えば、磁気ディスク装置や主記憶装置から構成されている。
【００２１】
素材情報記憶部３は、スキャナやデジタルカメラなどにより入力された画像データやイラスト描画ソフトなどにより作成されたイラストデータ、それら素材の大きさ、色、形、そして中心となるオブジェクトの種類、色、形、アングル、生物なら視線の方向などと言った一般に電子化された素材とその付帯情報を表すデータを素材情報として読み書き自在に格納するものであり、例えば、磁気ディスク装置や主記憶装置から構成されている。
【００２２】
素材知識データベース４は、ＩＦ−ＴＨＥＮルール形式やフレーム形式など公知の知識表現方法により、画像データ、イラストなどのそれ自体で読者に何かしらの印象を与える素材の印象などを表す評価用語と、素材の大きさやその中にある中心となるオブジェクトの種類などの素材の構成パラメータである素材デザイン要素との間の関係を規定する知識を素材デザイン知識として読み書き自在に格納するものであり、例えば、磁気ディスク装置や光ディスク装置などで構成されている。
【００２３】
なお、素材知識データベース４における知識の表現方法や推論エンジンの構成については、例えば「Ｆ．ヘイローズ他編、エキスパートシステム、産業図書、１９８５」などに詳しく解説されている。
ここで、素材のデザインに関する知識とは、例えば「内田広由紀、レイアウト事典ｐａｒｔ１／ｐａｒｔ２、視覚デザイン研究所」で述べられているような定性的／定量的データなど、素材を評価／選択したり、処理したりするのに必要な種々の知識である。具体的には、例えば「青い空はのびやかさをあらわす。」「上から見下ろす視角はやさしさをあらわす」「裁ち落とし版はのびやかな感じを与える」というような知識が、図２に示すような形式で表現されたものである。
【００２４】
素材デザイン決定部５は、文書情報記憶部２の文書情報および素材情報記憶部３の素材情報をもとに、素材知識データベース４の素材デザイン知識情報を使って推論を行いながら、対象となる素材が文書の種類や目的／印象に合っているかを評価し、合っているときには当該素材の採用を決定し、合っていないときには合う素材の条件を提示する手段であり、前向き推論や後ろ向き推論などの公知の推論を行う推論エンジンによって構成されている。
【００２５】
この素材デザイン決定部５における推論機構の動作手順を、図３に示すフローチャートにより説明する。
素材デザイン決定部５は、推論開始の指示を受けると推論エンジンの動きにより、まず、素材知識データベース４からＩＦ−ＴＨＥＮルール形式で書かれたす全てのルールを取り出し、これをＲｕｌｅｓ１とする（ステップＳ１）。次に、文書情報記憶部２および素材情報記憶部３のデータをもとに、Ｒｕｌｅｓ１の中でＩＦ条件部に書かれた条件が全て真となるルールを全て見つけ出し、これをＴｒｕｌｅｓ１とする（ステップＳ３）。次に、Ｔｒｕｌｅｓ１の中からルールを一つ選択し、このルールのＴＨＥＮ実行部に書かれた内容を検証する（ステップＳ５）。このようなルールの選択検証を、ＴＨＥＮ実行部による推論停止命令か（ステップＳ２）、あるいは、Ｔｒｕｌｅｓ１が空になる（ステップＳ４）まで繰り返す。
これにより、素材デザイン決定部５は、素材が作成者の意図や用途に沿ったものかどうかを判定し、合っていないときには合うようになる条件を提示する。
【００２６】
文書知識データベース６は、ＩＦ−ＴＨＥＮルール形式やフレーム形式などの公知の知識表現方法により、文書の目的／印象などを表す評価用語と、紙サイズや文字サイズなど、文書の構成パラメータである文書デザイン要素と、文書の種類、目的、仕上げの印象などの文書の属性と、これらの評価用語と、文書デザイン要素と文書属性の相互の関係を規定する知識を文書デザイン知識として読み出し自在に格納するものであり、例えば、磁気ディスク装置や光ディスク装置などで構成されている。
【００２７】
なお、文書知識データベース６における知識の表現方法や推論エンジンの構成については、素材知識データベース４と同様である。同じである。
ここで、文書のデザインに関する知識とは、前記「内田広由紀、レイアウト事典ｐａｒｔ１／ｐａｒｔ２、視覚デザイン研究所」で述べられているような定性的／定量的データなど、デザインを決定するのに必要な種々の知識である。具体的には、例えば「雑誌記事のタイトルの文字は１６−２５ミリ、本文の文字は２．６−３．５ミリである。」というような知識が図４に示すような形式で表現されたものや、「タイトルの文字の色はメインモチーフとなる素材に使用されている色を用いる。」というような素材同士の関係を表す知識が、図５に示すような形式で表現されたものである。
【００２８】
文書デザイン決定部７は、文書情報記憶部２の文書情報および素材情報記憶部３の素材情報をもとに、文書知識データベース６の文書デザイン知識情報を使って推論を行いながら対象となる文書の最適な文書デザインを決定する手段であり、前向き推論や後ろ向き推論などの公知の推論を行う推論エンジンによって構成されている。
【００２９】
この文書デザイン決定部７における推論機構の動作手順を、図６に示すフローチャートにより説明する。
文書デザイン決定部７は、推論開始の指示を受けると推論エンジンの動きにより、まず、文書知識データベース６からＩＦ−ＴＨＥＮルール形式で書かれた全てのルールを取り出し、これをＲｕｌｅｓ２とする（ステップＳ１１）。次に、文書情報記憶部２のデータをもとに、Ｒｕｌｅｓ２の中でＩＦ条件部に書かれた条件が全て真となるとなるルールを全て見つけ出し、これをＴｒｕｌｅｓ２とする（ステップＳ１３）。次に、Ｔｒｕｌｅｓ２の中からルールを一つ選択し、このルールのＴＨＥＮ実行部に書かれた内容を実行する（ステップＳ１５）。このようなルールの選択実行を、ＴＨＥＮ実行部による推論停止命令か（ステップＳ１）、あるいは、Ｔｒｕｌｅｓ２が空になる（ステップＳ１４）まで繰り返す。これにより、文書デザイン決定部７は、作成者の意図や用途に沿った文書デザインを決定する。
【００３０】
次に、上述した文書作成支援装置により、実際に文書の作成を支援する場合の具体例を説明する。
まず、文書情報記憶部２には、図７に示すような作成支援対象の原文書及びその付帯情報として「種類：雑誌記事」、「目的／印象：のびやかさ（５）、要点明確度（４）・・・」と言ったような文書情報を格納する。
ここで、文書種類とは、雑誌記事、広告、カタログといった文書の内容や用途に応じた種類を表し、目的／印象とは、文書に付加したい目的や印象を表している。また、目的／印象を表している各評価用語（のびやかさなど）の項目の数字は５点満点の得点を示すもので、目的／印象としてデザインされた結果の文書に与えたいイメージ（仕上げの印象）の程度を示している。
また、素材情報記憶部３には、図８に示すような文書に付加させたいメインモチーフとしての写真及びその付帯情報として「オブジェクト種類：空」、「オブジェクト色：青」・・・と言ったような素材情報を格納する。
【００３１】
さて、素材デザイン決定部５は、図３に示した動作手順により、図２に示したようなルールを選択実行して、この写真は使用可能で、使うときは裁ち落とし版にすると決定する。これは、この写真がのびのびした感じを与えており、意図した目的／印象に合致することと、採用した場合には、写真を裁ち落し版にすることがのびのびした感じを与え望ましいということである。
【００３２】
次に、文書デザイン決定部７では、図６に示した動作手順により、図４及び図５に示したようなルールを選択実行し、まず、タイトル文字の色は例えば青に、大きさは例えば１６−２５ミリの中心値２０ミリに決定し、本文の文字は２．６−３．５ミリの中心値３ミリに決定する。これは、雑誌のタイトル文字には素材オブジェクトの色が使用され、大きさは１６−２５ミリ、本文の文字は２．６−３．５ミリが標準であるということである。
そして、そのタイトル文字が２０ミリに決定されたという情報も含めて文書デザイン決定部７でのルールの選択が行われ、以下同様に、小見出しは要点明確度が高く望まれていることから本文の２倍にし、のびやかさを表現するためにゴシック体にするなどの文書デザインが決定されて、必要なパラメータが決定されたところで推論が終了する。
【００３３】
このようにして得られた文書デザインパラメータの値は表示部１に表示され、作成者はそれに従って文書を編集することができる。
このように加工／編集を行った結果得られた文書の一例を図９に示す。この文書は、図７に示した原文書に当該原文書の記述内容に適合するように図８に示した写真を裁ち落とし版で付加し、さらに、文書内のタイトルや小見出しなどを当該写真のイメージに適合するように編集したものとなっている。
【００３４】
次に、本発明の第２実施例に係る文書作成支援装置を説明する。
図１０には本実施例の文書作成支援装置の構成を示してあり、第１実施例と同一部分には同一符号を付してある。
この文書作成支援装置は、第１実施例における表示部１の代わりに、素材情報記憶部３に記憶されている素材情報を編集する素材編集部８と、素材デザイン決定部５が決定したデザインを素材編集部８を用いて素材情報に施す素材デザイン実行部９と、文書情報記憶部２に記憶されている文書情報を編集する文書編集部１０と、文書デザイン決定部７が決定したデザインを文書編集部１０を用いて文書情報に施す文書デザイン実行部１１と、を備えた構成となっている。
【００３５】
本実施例では、第１実施例では表示部１に表示された素材情報の最適なデザイン処理の内容が素材デザイン決定部５から素材デザイン実行部９に送られ、同じく表示部１に表示された文書デザイン決定部７が決定した文書デザインパラメータが文書デザイン実行部１１に送られる。
そして、素材編集部８は一般のＤＴＰにおける画像編集処理機能や図形編集処理機能であり、素材デザイン実行部９は素材編集部８の画像編集処理機能や図形編集処理機能を実行して、素材情報記憶部３に記憶されている素材情報に決定に従った最適な処理を施す。また、文書編集部１０は一般のＤＴＰにおける文書作成編集機能であり、文書デザイン実行部１１は文書編集部１０の文書作成編集機能を実行して、文書情報記憶部２に記憶されている文書情報が決定されたそれぞれの文書デザインパラメータを持つものになるように編集する。
この結果、本実施例においても、決定に従ったデザインに素材や文書が編集されて、作成者の意図や用途に沿ったデザインの文書が作成される。
【００３６】
次に、本発明の第３実施例に係る文書作成支援装置を説明する。
図１１には本実施例の文書作成支援装置の構成を示してあり、第１実施例と同一部分には同一符号を付してある。
この文書作成支援装置は、第１実施例の構成に加えて、文書作成者がコマンドなどを入力する入力部１２と、問合せ部１３と、を設けたものである。そして、この問合せ部１３は、素材デザイン決定部５および文書デザイン決定部７が不足する情報を質問文などの形で表示部１に表示する機能と、その回答を入力部１２から受け取って素材情報記憶部３および文書情報記憶部２に追加する機能と、を有している。
【００３７】
本実施例では、素材デザイン決定部５が素材情報記憶部３に対して例えば「”オブジェクト、色”」といった問合せを行った時に、このデータが素材情報記憶部３にない場合、素材情報記憶部３から素材デザイン決定部５に「”ｎｉｌ”」などの特別な値を返すような処理を行う。そして、素材情報記憶部３から「”ｎｉｌ”」が返された場合、素材デザイン決定部５は一旦処理を中断して制御を問合せ部１３に移し、文書作成者にその値を聞いて、入力部１２からその値を入力してもらって素材情報記憶部３に追加格納し、再び素材デザイン決定部５に制御を移して続きを実行するように構成されている。なお、文書デザインに関しても同様な動作処理を行うので説明は省略する。
このような問合せ機能によって、文書作成者は不足する情報を入力することで、より自らの意図に合った文書を作成することができる。
【００３８】
次に、本発明の第４実施例に係る文書作成支援装置を説明する。
図１１には本実施例の文書作成支援装置の構成を示してあり、上記した各実施例と同一部分には同一符号を付してある。
この文書作成支援装置は、第１実施例の構成に加えて、第２実施例及び第３実施例の構成を更に備えたものである。
このため、この文書作成支援装置では、第２実施例の編集機能に加えて第３実施例の不足する情報の問合せ機能をも有しており、それぞれの利点を兼ね備えたものとなっている。
【００３９】
【発明の効果】
以上説明したように、本発明によれば、文書の内容や属性等の文書情報およびその文書内で用いられる素材の内容や属性等の素材情報と、素材デザイン知識情報および文書デザイン知識情報を用いて推論処理を行い、最適な文書デザインを決定するようにしたため、文書作成者は写真やイラストなどの素材を含んだ文書をデザインする知識がなくとも、作成者の意図や用途にあった見栄えのよい文書を容易に作成することができる。
【図面の簡単な説明】
【図１】  本発明の第１実施例に係る文書作成支援装置の構成図である。
【図２】  素材知識データベースにおける知識表現の一例を示す図である。
【図３】  素材デザイン決定部における推論機構の動作手順を示すフローチャートである。
【図４】  文書知識データベースにおける知識表現の一例を示す図である。
【図５】  文書知識データベースにおける知識表現の一例を示す図である。
【図６】  文書デザイン決定部における推論機構の動作手順を示すフローチャートである。
【図７】  作成支援対象となる原文書の一例を示す図である。
【図８】  作成支援対象となる素材の一例を示す図である。
【図９】  原文書に素材を付加した一例を示す図である。
【図１０】  本発明の第２実施例に係る文書作成支援装置の構成図である。
【図１１】  本発明の第３実施例に係る文書作成支援装置の構成図である。
【図１２】  本発明の第３実施例に係る文書作成支援装置の構成図である。
【符号の説明】
１・・・表示部、  ２・・・文書情報記憶部、  ３・・・素材情報記憶部、
４・・・素材知識データベース、  ５・・・素材デザイン決定部、
６・・・文書知識データベース、  ７・・・文書デザイン決定部、
８・・・素材編集部、  ９・・・素材デザイン実行部、
１０・・・文書編集部、  １１・・・文書デザイン実行部、
１２・・・入力部、  １３・・・問合せ部、
【図１】
0003794148.tif 000002
【図２】
0003794148.tif 000003
【図３】
0003794148.tif 000004
【図４】
0003794148.tif 000005
【図５】
0003794148.tif 000006
【図６】
0003794148.tif 000007
【図７】
0003794148.tif 000008
【図８】
0003794148.tif 000009
【図９】
0003794148.tif 000010
【図１０】
0003794148.tif 000011
【図１１】
0003794148.tif 000012
【図１２】
0003794148.tif 000013